(57)【要約】【課題】多種多様なタイプの便座に対応でき、上げ下げの繰り返しによっても係合状態の緩みが低減され、製造性及び低コスト性に優れる便座開閉具及びこれをを備える便座カバーの提供を目的とする。【解決手段】本発明は、便座に巻装可能な帯状のベルト部と、ベルト部の両端から延出する一対の舌片状係合部とを備え、上記一対の係合部が、内面側に係合機構を有し、内面側同士を重合状態で係合可能に構成されている便座開閉具である。上記係合機構としては、一対の係合部の内面側に敷設された一対の面ファスナーを用いるとよい。上記一対の面ファスナーの剥離強さは０．３Ｎ／ｃｍ以上３Ｎ／ｃｍ以下が好ましい。上記ベルト部の一部又は全部を長手方向に伸縮可能な弾性素材から形成するとよい。上記ベルト部を伸ばした際の単位幅（１ｃｍ）当たりの長手方向の張力が上記一対の面ファスナーの剥離強さ以下が好ましい。【選択図】図１
2008307313.tif 000002
【特許請求の範囲】
【請求項１】
便座に巻装可能な帯状のベルト部と、
このベルト部の両端から延出する一対の舌片状係合部と
を備えており、
上記一対の係合部が、内面側に係合機構を有し、内面側同士を重合状態で係合可能に構成されている便座開閉具。
【請求項２】
上記係合機構が、一対の係合部の内面側に敷設された一対の面ファスナーである請求項１に記載の便座開閉具。
【請求項３】
上記一対の面ファスナーの剥離強さが０．３Ｎ／ｃｍ以上３Ｎ／ｃｍ以下である請求項２に記載の便座開閉具。
【請求項４】
上記ベルト部の一部又は全部が長手方向に伸縮可能な弾性素材から形成されている請求項１、請求項２又は請求項３に記載の便座開閉具。
【請求項５】
上記ベルト部を伸ばした際の単位幅（１ｃｍ）当たりの長手方向の張力が上記一対の面ファスナーの剥離強さ以下である請求項４に記載の便座開閉具。
【請求項６】
上記係合部の外面側に把持部が付設されている請求項１から請求項５のいずれか１項に記載の便座開閉具。
【請求項７】
請求項１から請求項６のいずれか１項に記載の便座開閉具を備える便座カバー。
【発明の詳細な説明】
【技術分野】
【０００１】
本発明は、便座を直接触らずに開閉（上げ下げ）することができる便座開閉具及びこれを備える便座カバーに関するものである。
【背景技術】
【０００２】
洋式便器は、その上部に腰を下ろすための便座を備えている。この便座は、通常Ｕ字形又はＯ字形に形成されており、便器の奥側（使用者から見て奥側）に水平軸を中心として回転自在、つまり開閉（上げ下げ）自在に取り付けられている。便座は、男女、大小便等の使用態様に応じて、便器の上端面に載置するように下げたり、便器の奥側に立てるように上げたりして使用される。そのため、便座は一般的に頻繁に開閉する必要が生じる。
【０００３】
従来の一般的な便座は直接手で持って上げ下げするよう構成されているため、衛生面で問題があり、特に不特定多数の者が使用する公衆トイレでは便座の上げ下げに不快感を招来するおそれがある。
【０００４】
かかる不都合を解消するため、（ａ）便座に取り付ける取っ手状、フック状の便座開閉具（例えば特開２００１−１７３５３号公報、特開２０００−３３３８７８号公報、特開２０００−１０７０７９号公報等参照）や、（ｂ）図６に示すような便座に巻き付けるベルト部５１とこのベルト部５１に付設される把持部５２とからなる便座開閉具（例えば特開２００１−１７３５２号公報、特開２０００−１２６０８２号公報等参照）などが開発されている。
【特許文献１】特開２００１−１７３５３号公報
【特許文献２】特開２０００−３３３８７８号公報
【特許文献３】特開２０００−１０７０７９号公報
【特許文献４】特開２００１−１７３５２号公報
【特許文献５】特開２０００−１２６０８２号公報
【発明の開示】
【発明が解決しようとする課題】
【０００５】
上記（ａ）のタイプの便座開閉具は、便座の裏面等に貼設又は係合させるものであるため、便座の形状等によっては取り付けられない場合があり、特に近年普及しつつあるヒーター内蔵型の便座への適用は問題がある。また（ａ）の取っ手状等のタイプの便座開閉具を便座に取り付けると、便座に便座カバーを装着できないという不都合が発生する。
【０００６】
上記（ｂ）のタイプの便座開閉具は、ベルト部５１における一端の外面と他端の内面に一対の面ファスナー５３が敷設されており、ベルト部５１を便座に巻き付けて一端の外面に他端の内面を重ね合わせることで便座に係合するよう構成されている。このような係合手段を有する（ｂ）タイプの便座開閉具は、ベルト部５１に付設される把持部５２を引っ張って便座を上げ下げすると、ベルト部５１を便座に係合している面ファスナー５３にせん断方向の外力が加わり、高いせん断強さを有する高価な面ファスナー５３を使用しない限り、便座の上げ下げによってベルト部５１の便座への係合が緩んでしまう結果となる。
【０００７】
本発明はこれらの不都合に鑑みてなされたものであり、多種多様なタイプの便座に対応でき、上げ下げの繰り返しによっても係合状態の緩みが低減され、製造性及び低コスト性に優れる便座開閉具及びこれをを備える便座カバーの提供を目的とするものである。
【課題を解決するための手段】
【０００８】
上記課題を解決するためになされた発明は、
便座に巻装可能な帯状のベルト部と、
このベルト部の両端から延出する一対の舌片状係合部と
を備えており、
上記一対の係合部が、内面側に係合機構を有し、内面側同士を重合状態で係合可能に構成されている便座開閉具である。
【０００９】
当該便座開閉具は、帯状のベルト部を便座に巻装し、ベルト部の両端から延出する一対の係合部の内面同士を重ね合わせ、係合部の内面側にある係合機構で一対の係合部を重合状態で係止することで、種々の形状、形態の便座に取り付けることができる。このようにして便座に取り付けた当該便座開閉具は、重合した一対の係合部が便座から突出しているため、この重合状態の一対の係合部を把持することで、便座に直接触れることなく容易かつ確実に便座を上げ下げすることができる。このように当該便座開閉具は、便座の上げ下げに重合状態の一対の係合部を両側から挟むよう把持するため、便座の上げ下げを繰り返しても、一対の係合部の重合状態が解除する方向に外力が掛からず、便座への係合状態が緩んでしまうことが低減される。
【００１０】
上記係合機構としては、一対の係合部の内面側に敷設された一対の面ファスナーを用いるとよい。上述のように当該便座開閉具は、便座の上げ下げ動作の際に一対の係合部の係合状態が解除される方向に外力が掛からないため、通常の簡易な面ファスナーで十分に便座に係合することができる。
【００１１】
上記一対の面ファスナーの剥離強さとしては０．３Ｎ／ｃｍ以上３Ｎ／ｃｍ以下が好ましい。上述のように当該便座開閉具は便座の上げ下げ動作の際に一対の係合部の係合状態が解除される方向に外力が掛からないため、上記範囲の剥離強さを有する面ファスナーで十分に便座に係合することができ、便座の上げ下げを繰り返しても一対の係合部の係合状態を確実に維持することができる。
【００１２】
上記ベルト部の一部又は全部を長手方向に伸縮可能な弾性素材から形成するとよい。このようにベルト部の一部又は全部を長手方向に伸縮可能な弾性素材から形成することで、大きさ、形状等が異なる便座に容易かつ確実に取り付けることができる。
【００１３】
上記ベルト部を伸ばした際（弾性限以内）の単位幅（１ｃｍ）当たりの長手方向の張力が上記一対の面ファスナーの剥離強さ以下が好ましい。上述のようにベルト部の一部又は全部に弾性素材を使用すると、当該便座開閉具を便座に取り付けた際に重合状態の一対の係合部に剥離方向の外力が掛かる。当該手段のようにベルト部を伸ばした際の単位幅（１ｃｍ）当たりの長手方向の張力が上記一対の面ファスナーの剥離強さ以下とすることで、ベルト部に弾性素材を使用しても一対の係合部の係合状態を維持することができる。
【００１４】
上記係合部の外面側に把持部を付設するとよい。このように係合部の外面側に把持部を付設することで、上述のように当該便座開閉具を便座へ取り付けた状態で、重合状態の一対の係合部の外面から把持部が突出しているため、便座の上げ下げが更に容易かつ確実になる。
【００１５】
従って、当該便座開閉具を備える便座カバーは、上述のように衛生性を保持しつつ便座の上げ下げが容易かつ確実になり、さらに便座からの便座開閉具の脱落を防止することができる。
【００１６】
ここで、「内面側」とは当該便座開閉具を便座に巻装した状態における便座に対向する側面側を意味し、「外面側」とはその反対の側面側を意味する。
【発明の効果】
【００１７】
以上説明したように、本発明の便座開閉具は、多種多様なタイプの便座に対応でき、上げ下げの繰り返しによっても係合状態の緩みが低減され、製造性及び低コスト性に優れている。従って、当該便座開閉具によれば、便座に直接触れることなく簡易かつ確実に便座の上げ下げが可能になり、衛生性を向上することができる。
【発明を実施するための最良の形態】
【００１８】
以下、適宜図面を参照しつつ本発明の実施の形態を詳説する。図１は本発明の一実施形態に係る便座開閉具を示す模式的平面図、図２（ａ）及び（ｂ）は図１の便座開閉具の取り付け状態を説明する模式的平面図及びそのＡ−Ａ断面図、図３は図１の便座開閉具とは異なる形態に係る便座開閉具を示す模式的平面図、図４は図１及び図３の便座開閉具とは異なる形態に係る便座開閉具を示す模式的外面側斜視図、図５は図１の便座開閉具を備える便座カバーを示す模式的平面図である。
【００１９】
図１の便座開閉具１は、洋式便器のＵ字形、Ｏ字形等の便座の片側に取り付けるものであり、ベルト部２と一対の係合部３とを備えている。
【００２０】
ベルト部２は、所定幅及び所定長さを有する便座に巻装可能な帯状（長方形状）のものであり、可撓性、柔軟性、屈曲性、曲折性等を有している。ベルト部２の具体的なサイズとしては、特に限定されないが、通常長さが１５ｃｍ〜２５ｃｍ程度、幅が１．５ｃｍ〜６ｃｍ程度である。
【００２１】
ベルト部２を構成する素材としては、便座に巻装可能な可撓性、柔軟性、屈曲性、曲折性等を有すれば特に限定されるものではないが、例えば編布、織布、不織布等の繊維製シート、紙素材（合成紙を含む）、合成樹脂シートなどが用いられる。中でも、ベルト部２の素材としては、所定の強度、柔軟性等を兼ね備える繊維製シートが好ましい。
【００２２】
ベルト部２は、その一部が長手方向に伸縮可能な弾性素材４から形成されている。ベルト部２の一部を長手方向に伸縮可能な弾性素材４から形成することで、大きさ、形状等が異なる便座に容易かつ確実に取り付けることができる。この弾性素材４としては、ゴム製シートや少なくとも長手方向糸にゴム糸を使用した弾性帯などが用いられる。
【００２３】
一対の係合部３は、舌片状シート体からなり、ベルト部２の両端から延出している。ベルト部２の具体的な形状は、略半円状（略半楕円状）に形成されているが、これに限定されるものではなく、例えば正方形状、長方形状等も可能であり、意匠性を考慮して三日月形状、星形状等も可能である。この係合部３の素材としては、上記ベルト部２と同様に、編布、織布、不織布等の繊維製シート、紙素材（合成紙を含む）、合成樹脂シートなど使用することができる。
【００２４】
一対の係合部３は、その内面側に係合機構を有し、内面側同士を重合状態で係合可能に構成されている。この係合機構としては、一対の係合部３の内面側に敷設された一対の面ファスナー５が用いられている。後述のように当該便座開閉具１は、便座の上げ下げ動作の際に一対の係合部３の係合状態が解除される方向に外力が掛からないため、一般的かつ簡易な面ファスナー５で十分に便座に係合することができる。
【００２５】
一対の面ファスナー５としては、特に限定されるものではなく、公知の一般的なものが用いられる。一対の面ファスナー５としては、通常、表面に多数のフック要素を有するシート部材と表面に多数のループ要素を有するシート部材との組合せ、又は、表面に多数の突起を有するシート部材とその突起と係合する多数の突起を表面に有するシート部材との組合せがある。
【００２６】
一対の面ファスナー５の剥離強さの下限としては、０．３Ｎ／ｃｍが好ましく、１Ｎ／ｃｍが特に好ましい。一方、一対の面ファスナー５の剥離強さの上限としては、３Ｎ／ｃｍが好ましく、２Ｎ／ｃｍが特に好ましい。後述のように当該便座開閉具１は便座の上げ下げ動作の際に一対の係合部３の係合状態が解除される方向に外力が掛からないため、上記範囲の剥離強さを有する面ファスナーで十分に便座に係合することができ、便座の上げ下げを繰り返しても一対の係合部３の係合状態を確実に維持することができる。なお、一対の面ファスナー５の剥離強さは、ＪＩＳ−Ｌ３４１６に準拠した測定値である。
【００２７】
当該便座開閉具１は、図２（ａ）及び（ｂ）に示すように、帯状のベルト部２を便座Ｘ（図面中にはＵ字形便座を例示）に巻装し、ベルト部２の両端から延出する一対の係合部３の内面同士を便座Ｘの側方で重ね合わせ、一対の係合部３の内面側にある一対の面ファスナー５を係合させることで、便座Ｘに取り付けることができる。当該便座開閉具１は、ベルト部２が柔軟性、可撓性等を有し、加えて一部に弾性素材４が使用されていることから、種々の形状、形態の便座Ｘに取り付けることができる。このようにして便座Ｘに取り付けた当該便座開閉具１は、重合した一対の係合部３が便座Ｘから側方に突出しているため、この重合状態の一対の係合部３を把持することで、便座Ｘに直接触れることなく容易かつ確実に便座Ｘを上げ下げすることができる。このように当該便座開閉具１は、便座Ｘの上げ下げに重合状態の一対の係合部３を両側から挟むよう把持するため、便座Ｘの上げ下げを繰り返しても、一対の係合部３の重合状態が解除する方向に外力が掛からず、便座Ｘへの係合状態が緩んでしまうことが低減される。
【００２８】
上記ベルト部２を伸ばした際（弾性限以内）の単位幅（１ｃｍ）当たりの長手方向の張力が上記一対の面ファスナー５の剥離強さ以下が好ましい。上述のようにベルト部２の一部に弾性素材４を使用しているため、当該便座開閉具１を便座Ｘに取り付けた際に重合状態の一対の係合部３に剥離方向の外力が掛かる可能性がある。このようにベルト部２を伸ばした際の単位幅（１ｃｍ）当たりの長手方向の張力が上記一対の面ファスナー５の剥離強さ以下とすることで、ベルト部２の弾性素材４を伸ばして装着しても一対の係合部３の係合状態を維持することができる。
【００２９】
図３の便座開閉具１１は、洋式便器のＵ字形、Ｏ字形等の便座の片側に取り付けるものであり、ベルト部２と一対の係合部３とを備えている。ベルト部２は、中間部が弾性素材４から形成されている。一対の係合部３は、内面側に係合機構としての一対の面ファスナー５を有している。これらのベルト部２、係合部３、弾性素材４及び面ファスナー５は、上記図１の便座開閉具１と同様であるため、同一番号を付して説明を省略する。
【００３０】
当該便座開閉具１１のベルト部２は、便座Ｘを２周巻装できる程度に長く形成され、一端側の幅が広く形成され、一端側に他端側を挿入可能な長方形状の貫通孔１２が形成されている。
【００３１】
当該便座開閉具１１は、帯状のベルト部２を便座Ｘに巻装し、ベルト部２の他端側を一端側の貫通孔１２に挿通し、さらに他端側を便座Ｘに巻き付け、ベルト部２を便座Ｘに２周巻装した状態で、一対の係合部３の内面同士を便座Ｘの側方で重ね合わせ、一対の係合部３の内面側にある一対の面ファスナー５を係合させることで、便座Ｘに取り付けることができる。そのため、当該便座開閉具１１は、便座Ｘに非常にしっかりと取り付けることができる。
【００３２】
図４の便座開閉具２１は、洋式便器のＵ字形、Ｏ字形等の便座の片側に取り付けるものであり、ベルト部２と一対の係合部３とを備えている。これらのベルト部２及び係合部３は、上記図１の便座開閉具１と同様であるため、同一番号を付して説明を省略する。
【００３３】
当該便座開閉具２１は、係合部３の外面側に把持部２２が付設されている。この把持部２２は、布、合成樹脂シート等からなる細い帯状体であり、係合部３の両側縁間に幅方向に少し湾曲するよう架け渡されている。
【００３４】
当該便座開閉具２１は、係合部３の外面側に把持部２２を付設することで、上述のように便座Ｘへ取り付けた状態で、重合状態の一対の係合部３の外面から把持部２２が突出しているため、この把持部２２を把持したり、引っ掛けたりすることで、便座Ｘの上げ下げが更に容易かつ確実になる。
【００３５】
図５の便座カバー３１は、カバー本体３２と便座開閉具１とを備えている。カバー本体３２は、特に限定されるものではなく、便座Ｘに取り付ける編物、パイル地等からなる公知のものが使用される。便座開閉具１は、カバー本体３２の右側又は左側の中央部付近に取り付けられている。便座開閉具１は、カバー本体３２の裏面側に、便座Ｘを巻装した際には便座Ｘの側方に重合した一対の係合部３が突出するよう取り付けられている。便座開閉具１のカバー本体３２への取り付け方法としては、例えば接着、縫い付け等が採用される。なお、カバー本体３２の便座開閉具１の取り付け位置には、補強を施すとよい。
【００３６】
当該便座カバー３１は、当該便座開閉具１を備えていることから、上述のように衛生性を保持しつつ便座Ｘの上げ下げが容易かつ確実になり、さらに便座Ｘからの便座開閉具１の脱落を防止することができる。
【００３７】
なお、本発明の便座開閉具及びこれを備える便座カバーは上記実施形態に限定されるものではない。例えば、ベルト部は、弾性素材から形成されない場合も可能であり、全て弾性素材から形成されてもよい。ベルト部における弾性素材の形成位置も、中央でも端部でも２個所の領域に分けてもよい。
【００３８】
また、係合機構は、面ファスナーに限定されず、例えばフック、スナップ、ホック、ボタン等を用いてもよい。さらに、把持部は、上記引き手状のものに限定されず、把持可能な形状であれば種々のものが採用される。また、係合部の外面には、種々の模様、色彩等で装飾された他のシートを面ファスナー等により取り付け、取り替え可能に構成してもよく、把持する部分の柄や模様を変更し、意匠性を向上させることができる。
【産業上の利用可能性】
【００３９】
以上のように、本発明の便座開閉具及びこれを備える便座カバーは、便座を上げ下げするための洋式便器の構成部材として有用であり、特に衛生性に問題がある公衆便所に用いるのに適している。
【図面の簡単な説明】
【００４０】
【図１】本発明の一実施形態に係る便座開閉具を示す模式的平面図
【図２】図１の便座開閉具の取り付け状態を説明する模式的平面図
【図３】図１の便座開閉具とは異なる形態に係る便座開閉具を示す模式的平面図
【図４】図１及び図３の便座開閉具とは異なる形態に係る便座開閉具を示す模式的外面側斜視図
【図５】図１の便座開閉具を備える便座カバーを示す模式的平面図
【図６】従来の便座開閉具を示す模式的斜視図
【符号の説明】
【００４１】
１  便座開閉具
２  ベルト部
３  係合部
４  弾性素材
５  面ファスナー
１１  便座開閉具
１２  貫通孔
２１  便座開閉具
２２  把持部
３１  便座カバー
３２  カバー本体
Ｘ  便座
【図１】
2008307313.tif 000003
【図２】
2008307313.tif 000004
【図３】
2008307313.tif 000005
【図４】
2008307313.tif 000006
【図５】
2008307313.tif 000007
【図６】
2008307313.tif 000008